(57)【要約】【課題】空気調和機本体の運転によるＣＯ２排出量を簡単に認識できるようにし、省エネ運転に対する認識を使用者に促すことを可能にした空調用リモートコントローラを提供する。【解決手段】室外機１１と室内機１２からなる空気調和機本体１０と、空気調和機本体１０と有線又は無線で双方向通信を行う空調用リモートコントローラ１００において、空気調和機本体側との間でデータの送受信をする通信部３４と、空気調和機本体１０側で積算された電力量データを通信部３４を介して受信し、電力量データからＣＯ２排出量を求めるマイクロコンピュータ３１と、ＣＯ２排出量を表示する表示部２１とを備える。【選択図】図４
2011145008.tif 000002
【特許請求の範囲】
【請求項１】
室外機と室内機からなる空気調和機本体と有線又は無線により双方向通信を行う空調用リモートコントローラにおいて、
前記空気調和機本体側との間でデータの送受信をする通信部と、
前記空気調和機本体側で積算された電力量データを前記通信部を介して受信し、前記電力量データからＣＯ２排出量を求める演算手段と、
前記ＣＯ２排出量を表示する表示部と
を備えたことを特徴とする空調用リモートコントローラ。
【請求項２】
停止操作信号を含む操作信号を入力するための操作部を備え、
前記演算手段は、前記操作部による停止操作信号の入力があると、前記通信部を介して前記室内機に対して停止操作の指令を送信すると共に前記電力量データの収集を行い、前記室内機から電力量データを受信すると、前記電力量データからＣＯ２排出量を算出し、
前記表示部は、前記ＣＯ２排出量を表示する
ことを特徴とする請求項１記載の空調用リモートコントローラ。
【請求項３】
停止操作信号を含む操作信号を入力するための操作部を備え、
前記演算手段は、前記操作部による停止操作の入力があると、前記通信部を介して前記室内機に対して停止操作の指令を送信すると共に電力量データの収集を行い、前記室内機から電力量データを受信すると、前記電力量データからＣＯ２排出量を算出し、
前記表示部は、前記ＣＯ２排出量を前日分のＣＯ２排出量と合わせて表示する
ことを特徴とする請求項１記載の空調用リモートコントローラ。
【請求項４】
前記演算手段は、自機にて設定して日替わり時刻になったときに、前記通信部を介して、前記電力量データの収集を自動的に行うと共に前記空気調和機本体に対して積算された電力量データのクリア要求指令を送信し、当該電力量データをクリアさせて新たに積算させることを特徴とする請求項１乃至３の何れか一項に記載の空調用リモートコントローラ。
【請求項５】
前記リモートコントローラの日替わり時刻を変更することが出来る時刻変更機能を備えたことを特徴とする請求項４記載の空調用リモートコントローラ。
【請求項６】
前記電力量データからＣＯ２を算出する際のＣＯ２換算係数を変更する手段を有し、
前記演算手段は、前記表示部が前記ＣＯ２排出量を表示する際に、設定されている前記ＣＯ２換算係数によりＣＯ２排出量を算出する
ことを特徴とする請求項１乃至５の何れか一項に記載の空調用リモートコントローラ。
【請求項７】
前記空気調和機本体が停止時に消費する待機電力を消費電力量として加算するか否かの設定機能を備えることを特徴とする請求項１乃至６の何れか一項に記載の空調用リモートコントローラ。
【請求項８】
前記演算手段は、前記空気調和機本体から収集した電力量データからＣＯ２排出量を算出すると共に、過去のＣＯ２排出量データから省エネの貢献度を求め、
前記表示部は、それらの情報を表示する
ことを特徴する請求項１乃至７の何れか一項に記載の空調用リモートコントローラ。
【発明の詳細な説明】
【技術分野】
【０００１】
この発明は、エネルギー消費によるＣＯ２排出量を表示する機能を備えた空調用リモートコントローラに関するものである。
【背景技術】
【０００２】
従来の空気調和機には、例えば、運転状態から停止状態に移行した場合に、空気調和機本体からリモートコントローラに電力量データを送信するようにしたものがある（例えば、特許文献１，２参照）。
また、従来のリモートコントローラには、空気調和機本体から受信した消費電力と単位電力料金とを積算し、使用した電気料金を求めて表示しているものもある（例えば、特許文献３参照）。
【先行技術文献】
【特許文献】
【０００３】
【特許文献１】特開２００７−２７８６９６号公報（図２）
【特許文献２】特開２００９−１０９１９０号公報（図２）
【特許文献３】特開平１１−２４８２２２号公報（図３）
【発明の概要】
【発明が解決しようとする課題】
【０００４】
従来の空気調和機は、電力量や電気料金をリモートコントローラに表示するようしているが、昨今良く聞く二酸化炭素（ＣＯ２）排出量との関連が不明である、という問題点があった。
【０００５】
この発明は、上記のような課題を解決するためになされたものであり、空気調和機本体の運転によるＣＯ２排出量を簡単に認識できるようにし、省エネ運転に対する認識を使用者に促すことを可能にした空調用リモートコントローラを提供することを目的とする。
【課題を解決するための手段】
【０００６】
この発明に係る空調用リモートコントローラは、室外機と室内機からなる空気調和機本体と有線又は無線により双方向通信を行う空調用リモートコントローラにおいて、前記空気調和機本体側との間でデータの送受信をする通信部と、前記空気調和機本体側で積算された電力量データを前記通信部を介して受信し、前記電力量データからＣＯ２排出量を求める演算手段と、前記ＣＯ２排出量を表示する表示部とを備えたものである。
【発明の効果】
【０００７】
この発明に係る空調用リモートコントローラは、上記の構成を採用したことにより、電力量データに基づいて二酸化炭素（ＣＯ２）排出量を求め、それを表示するようにしたので、空気調和機本体の運転によるＣＯ２排出量が簡単に認識できる。このため、省エネ運転に対する認識を使用者に促すことが可能になっている。
【図面の簡単な説明】
【０００８】
【図１】この発明の実施の形態１に係る空気調和機の構成図である。
【図２】この発明の実施の形態１に係る空調用リモートコントローラの正面図である。
【図３】この発明の実施の形態１に係る空調用リモートコントローラの回路構成図である。
【図４】この発明の実施の形態１に係る空調用リモートコントローラの画面表示の説明図である。
【図５】この発明の実施の形態１に係る空気調和機の動作を示したフローチャートである。
【図６】この発明の実施の形態２及び３に係る空調用リモートコントローラの画面表示の説明図である。
【図７】この発明の実施の形態４に係る空調用リモートコントローラのＣＯ２削減効果の画面表示例である。
【発明を実施するための形態】
【０００９】
実施の形態１．
図１は、この発明の実施の形態１に係る空気調和機の構成図である。
空気調和機は、図１に示されるように、空気調和機本体１０及び空調用リモートコントローラ１００を備えている。空気調和機本体１０は、室外機１１と室内機１２を備えており、通信用の有線１３を介して空調用リモートコントローラ１００と接続されている。室外機１１は、図示を省略するが、圧縮機、四方弁、膨張弁等を内蔵し、室内機１２は、熱交換器等を内蔵し、これらは冷媒配管により接続されて冷凍サイクルを構成する。また、室内機１２は、室外機１１及び室内機１２の消費電力を合算して積算する制御装置、及び空調用リモートコントローラ１００とデータの授受を行う通信装置を備えている（何れも図示せず）。
【００１０】
図２は、この発明の実施の形態１に係る空調用リモートコントローラの正面図である。
空調用リモートコントローラ１００は、図２に示されるように、その筐体の正面側に、表示部２１及び操作部２２を備えている。
【００１１】
図３は、この発明の実施の形態１に係る空調用リモートコントローラの回路構成図である。
空調用リモートコントローラ１００は、表示部２１、操作部２２、マイクロコンピュータ３１、カレンダ−３２、メモリ３３及び通信部３４を備えている。
なお、マイクロコンピュータ３１はこの発明の演算手段に相当する。通信部３４は、通信用の有線１３を介して空気調和機本体１０に接続されているが、これは無線によっても良い。
【００１２】
図４は、この発明の実施の形態１に係る空調用リモートコントローラの画面表示の説明図である。
使用者が操作部２２を操作して停止操作信号を入力すると、表示部２１には、例えば図４に示されるように、停止操作時の画面表示例４１が表示される。この表示例においては、当該日におけるそれまでのＣＯ２排出量と、前日分のＣＯ２排出量とが併せて表示される。
【００１３】
次に、上記の構成からなる空気調和機の動作を説明する。
図５は、上記の空気調和機の動作を示したフローチャートである。
まず、使用者が操作部２２を停止操作した場合の動作について説明する。
空調用リモートコントローラ１００は、その操作部２２が使用者により操作されると（Ｓ１）、マイクロコンピュータ３１は、通信部３４を介して停止操作指令を送信すると共に（Ｓ２）、電力量要求指令を送信する（Ｓ４）。このとき、表示部２１の画面に電力量データを収集中である旨を表示されるようにしても良い。
室内機１２は、停止操作指令を受信すると運転を停止し（Ｓ２１、Ｓ２２）、そして、電力量要求指令を受信すると（Ｓ２３）、それまでに積算した電力量データを空調用リモートコントローラ１００に対して送信する（Ｓ２４）。
【００１４】
空調用リモートコントローラ１００は、通信部３４を介して電力量データを受信すると（Ｓ５）、マイクロコンピュータ３１が日替わり処理であるかどうか判定し（Ｓ６）、日替わり処理ではないと判定した場合には、即ち停止操作の場合には、受信した電力量データと、予め設定されているＣＯ２換算係数とに基づいてＣＯ２排出量を算出する（Ｓ７）。そして、マイクロコンピュータ３１は、メモリ３３に保存されている前日分の電力量データに基づいて前日分のＣＯ２排出量を求め、それまでのＣＯ２排出量と、前日分のＣＯ２排出量とを併せて表示部２１の画面上に表示させる（Ｓ８、図４の停止時画面表示例４１参照）。
なお、空調用リモートコントローラ１００は、使用者の設定により、空気調和機本体１０の停止時にそれまでのＣＯ２排出量を表示するか否かを自由に設定できるようにして、必要な場合にだけＣＯ２排出量の表示をさせるようにしても良い。
【００１５】
次に、カレンダー３２が日替わり時刻を経過し、その日一日のＣＯ２排出量を収集する場合の動作について説明する。
空調用リモートコントローラ１００は、カレンダー３２が日替わり時刻を経過すると（Ｓ３）、マイクロコンピュータ３１は、通信部３４を介して電力量要求指令を送信する（Ｓ４）。
室内機１２は、電力量要求指令を受信すると（Ｓ２３）、それまでに積算した電力量データを空調用リモートコントローラ１００に対して送信する（Ｓ２４）。
空調用リモートコントローラ１００は、通信部３４を介して電力量データを受信すると（Ｓ５）、マイクロコンピュータ３１が日替わり処理であるかどうか判定し（Ｓ６）、日替わり処理であると判定した場合には、電力量要求指令により空気調和機本体１０から電力量データを受信したことで、電力量クリア要求の指令送信を行い（Ｓ９）、受信した電力量データをメモリ３３に保存する（Ｓ１０）。室内機１２は、電力量クリア要求の指令を受信すると（Ｓ２５）、それ自身が積算した電力量データをクリアし新たに積算を開始する（Ｓ２６）。
また、空調用リモートコントローラ１００は、受信した電力量データをメモリ３３に保存する際には、受信した電力量データに現在の日付（年月日）を付加し、メモリ３３に格納すると共に、同一年月の電力量に加算して月次データを生成し、メモリ３３に格納する。
なお、このメモリ３３に保存された電力量データは、上記の処理（Ｓ８）において前日のＣＯ２排出量を表示する際に用いられる。
【００１６】
以上のように、本実施の形態１においては、空調用リモートコントローラ１００が停止操作の際に一緒に電力量要求指令を送信するようにしているので、使用者の通常の停止操作のみでＣＯ２排出量を表示することが出来る。ＣＯ２排出量を表示することで、省エネ効果を定量的に把握することができるので、省エネ運転に対する認識を使用者に促すことが可能になっており、省エネに対する意識の向上を図ることができる。また、表示する際に前日分も併せて表示するので、この点からも省エネに対する意識の向上を図ることができる。
【００１７】
また、本実施の形態１においては、日替わり時の処理時は、空調用リモートコントローラ１００から電力量データのクリア要求指令を送信するようにしているので、空調用リモートコントローラ１００が自身の故障や電源遮断などにより日替わり収集処理が実施できなかった場合であっても、空気調和機本体１０が勝手に電力量データをクリアすることなく、継続して積算するので電力量データの取りこぼしを防ぐことができる。
【００１８】
実施の形態２．
以上の実施の形態１では空調用リモートコントローラ１００から電力量データの要求指令を送信する例について説明したが、次に、空調用リモートコントローラ１００においてＣＯ２換算係数の設定変更をする例を実施の形態２として説明する。
図６は、空調用リモートコントローラ１００の設定画面例６１である。
空調用リモートコントローラ１００は、図６に示されるように、収集した電力量データからＣＯ２排出量を算出するためのＣＯ２換算係数を自由に設定変更できる（図６の例では、「０．４２５」に設定）。
また、空調用リモートコントローラ１００は、メモリ３３に電力量データを保持し、使用者の操作などにより表示する際に、現在設定されているＣＯ２換算係数とその電力量データとからＣＯ２排出量を算出する。
【００１９】
以上のように、本実施の形態２においては、メモリ３３に電力量データを保持し、ＣＯ２排出量を算出するためのＣＯ２換算係数を自由に変更出来るようにしているので、電力事情の異なる地域・国や係数の見直しなどに対しても柔軟に対応することができると共に、内部データを電力量データで保持しているので、ＣＯ２換算係数の変更により過去のデータも同じ指標で閲覧することができる。
【００２０】
実施の形態３．
以上の実施の形態２では、電力量データからＣＯ２換算するためのＣＯ２換算係数を自由に設定できる機能について説明したが、次に、空調用リモートコントローラ１００において日替わり時刻を変更する例を実施の形態３として説明する。
空調用リモートコントローラ１００は、図６に示されるように、日替わり時刻を自由に設定変更することができ（図６の例では「２４：００」に設定）、その設定した日替わり時刻になったときに電力量データの収集とクリアと（Ｓ３、Ｓ９）を空気調和機本体１０に対して実施する。
【００２１】
以上のように、本実施の形態３では、日替わり時刻自由に変更できるようにしているので、例えば帰宅時に空気調和機本体の電源を遮断して運用している場合や、夜間営業などで一日の考え方が通常と異なる場合など、使用者の運用パターンに柔軟に対応することができる。
【００２２】
実施の形態４．
以上の実施の形態３では、日替わり時刻を自由に変更できる機能について説明したが、次に、ＣＯ２排出量による省エネ貢献度の可視化による例を実施の形態４として説明する。
図７は、表示部２１の削減効果の画面表示例７１である。
空調用リモートコントローラ１００のマイクロコンピュータ３１は、日替わり時に収集する日次データから日ごとの差分を取り、その差分と、その差分の積算値とによりＣＯ２削減量の貢献度をグラフ化する。その際に、その該当日の設定温度平均値や、外気温度平均値、運転時間の積算値などの情報も合わせて表示すればなお良い。
また、マイクロコンピュータ３１は、運用開始からの貢献度や月単位の貢献度を求めてメモリ３３に保存しておき、表示画面の表示切替えスイッチ７２による表示切り替えがあると、運用開始からの貢献度グラフや月単位の貢献度グラフに、表示内容を切り替える。さらに、目標削減量を設定し、その目標削減量までの残り量などを表示しても良い。
【００２３】
以上のように、本実施の形態４においては、省エネによるＣＯ２削減量の積算値をグラフ化することで貢献度が分かりやすく、省エネに対する更なる意識の向上を図ることができる。
【００２４】
なお、この発明は、上記の実施の形態１〜実施の形態４が適宜組み合わされた態様を含むものである。
また、空調用リモートコントローラ１００は、表示部２１の設定画面を利用して、例えば空気調和機本体１０が停止時に消費する待機電力を消費電力量として加算するか否かを設定することができるようにしても良い。加算する場合には、待機電力は既知の値であるから、マイクロコンピュータ３１は、空気調和機本体１０からの電力量データにその待機電力値を加算して電力量データとしてメモリ３３に保存する。或いは、その設定情報を空気調和機本体１０に送信し、空気調和機本体１０側においてその待機電力を加算したものを電力量データとして空調用リモートコントローラ１００側に送信するようにしても良い。
【符号の説明】
【００２５】
１０  空気調和機本体、１１  室外機、１２  室内機、１３  通信手段、２１  表示部、２２  操作部、３１  マイクロコンピュータ、３２  カレンダー、３３  メモリ、３４  通信部、４１  停止操作時の画面表示例、６１  設定画面表示例、７１  ＣＯ２削減効果画面表示例、７２  画面表示切替えスイッチ、１００  空調用リモートコントローラ。
【図１】
2011145008.tif 000003
【図２】
2011145008.tif 000004
【図３】
2011145008.tif 000005
【図４】
2011145008.tif 000006
【図５】
2011145008.tif 000007
【図６】
2011145008.tif 000008
【図７】
2011145008.tif 000009